(57)【特許請求の範囲】
【請求項１】
移動局が、各セルにおいて、セル特有の参照信号或いは該セル特有の参照信号以外の信号のいずれかを用いて測定処理を行う移動通信方法であって、
無線基地局が、前記移動局に対して、配下のセルの周辺セルのうち前記セル特有の参照信号以外の信号を用いて測定処理を行うべきセルの識別情報、及び、該セル特有の参照信号以外の信号を特定するための情報を送信する工程と、
前記移動局が、前記セルの識別情報及び前記セル特有の参照信号以外の信号を特定するための情報に基づいて測定処理を行う工程とを有し、
前記周辺セルは、前記無線基地局とは異なる他の無線基地局の配下のセルであり、第１のコンポーネントキャリアにより運用されるセルと、前記第１のコンポーネントキャリアとは互換性のない第２のコンポーネントキャリアにより運用されるセルとを同一周波数帯のセルとして含む、
ことを特徴とする移動通信方法。
【請求項２】
前記セル特有の参照信号以外の信号は、測位用の参照信号であることを特徴とする請求項１に記載の移動通信方法。
【請求項３】
移動局が、各セルにおいて、セル特有の参照信号或いは該セル特有の参照信号以外の信号のいずれかを用いて測定処理を行うことができるように構成されている移動通信システムで用いられる無線基地局であって、
前記移動局に対して、配下のセルの周辺セルのうち前記セル特有の参照信号以外の信号を用いて測定処理を行うべきセルの識別情報、及び、該セル特有の参照信号以外の信号を特定するための情報を送信するように構成されている送信部を具備し、
前記周辺セルは、前記無線基地局とは異なる他の無線基地局の配下のセルであり、第１のコンポーネントキャリアにより運用されるセルと、前記第１のコンポーネントキャリアとは互換性のない第２のコンポーネントキャリアにより運用されるセルとを同一周波数帯のセルとして含む、
ことを特徴とする無線基地局。
【請求項４】
前記セル特有の参照信号以外の信号は、測位用の参照信号であることを特徴とする請求項３に記載の無線基地局。
【請求項５】
各セルにおいて、セル特有の参照信号或いは該セル特有の参照信号以外の信号のいずれかを用いて測定処理を行うことができるように構成されている移動局であって、
無線基地局から、配下のセルの周辺セルのうち前記セル特有の参照信号以外の信号を用いて測定処理を行うべきセルの識別情報、及び、該セル特有の参照信号以外の信号を特定するための情報を取得するように構成されている受信部と、
前記セルの識別情報及び前記セル特有の参照信号以外の信号を特定するための情報に基づいて測定処理を行うように構成されている測定部とを具備し、
前記周辺セルは、前記無線基地局とは異なる他の無線基地局の配下のセルであり、第１のコンポーネントキャリアにより運用されるセルと、前記第１のコンポーネントキャリアとは互換性のない第２のコンポーネントキャリアにより運用されるセルとを同一周波数帯のセルとして含む、
ことを特徴とする移動局。
【請求項６】
前記セル特有の参照信号以外の信号は、測位用の参照信号であることを特徴とする請求項５に記載の移動局。
【請求項７】
前記セル特有の参照信号以外の信号は、同期信号であることを特徴とする請求項１に記載の移動通信方法。
【請求項８】
前記セル特有の参照信号以外の信号は、同期信号であることを特徴とする請求項３に記載の無線基地局。
【請求項９】
前記セル特有の参照信号以外の信号は、同期信号であることを特徴とする請求項５に記載の移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、ＣＡ（Ｃａｒｒｉｅｒ  Ａｇｇｒｉｇａｔｉｏｎ、キャリアアグリゲーション）において、既存のＣＣ（Ｃｏｍｐｏｎｅｎｔ  Ｃａｒｒｉｅｒ、コンポーネントキャリア）と互換性のない新規のＣＣを定義し、既存のＣＣ及び新規のＣＣを用いたＣＡを実現することが検討されている。
【０００３】
以下、かかる既存のＣＣを「Ｌｅｇａｃｙ  Ｃａｒｒｉｅｒ」と呼び、かかる新規のＣＣを「Ａｄｄｉｔｉｏｎａｌ  Ｃａｒｒｉｅｒ」と呼ぶものとする。
【０００４】
現在、ＬＴＥ-Ａｄｖａｎｃｅｄ方式では、制御チャネル（Ｃｏｎｔｒｏｌ  Ｃｈａｎｎｅｌ）及びＣＲＳ（Ｃｅｌｌ  ｓｐｅｃｉｆｉｃ  Ｒｅｆｅｒｅｎｃｅ  Ｓｉｇｎａｌ、セル特有の参照信号）を含まない「Ａｄｄｉｔｉｏｎａｌ  Ｃａｒｒｉｅｒ」、或いは、挿入される制御チャネル及びＣＲＳが低減されている「Ａｄｄｉｔｉｏｎａｌ  Ｃａｒｒｉｅｒ」を少なくとも１つ導入することについて合意されている。
【先行技術文献】
【非特許文献】
【０００５】
【非特許文献１】３ＧＰＰ寄書  Ｒ１-１１３６２１
【発明の概要】
【発明が解決しようとする課題】
【０００６】
しかしながら、現在、ＬＴＥ-Ａｄｖａｎｃｅｄ方式では、移動局ＵＥが「Ａｄｄｉｔｉｏｎａｌ  Ｃａｒｒｉｅｒ」においてどのように測定処理を行うべきかについて規定されていない。
【０００７】
したがって、図１に示すように、同一周波数帯（１.５ＧＨｚ帯）のセル＃２/＃３１/＃３２/＃３３において、「Ｌｅｇａｃｙ  Ｃａｒｒｉｅｒ」及び「Ａｄｄｉｔｉｏｎａｌ  Ｃａｒｒｉｅｒ」が混在している場合、移動局ＵＥは、どの信号（例えば、ＣＲＳ）を用いて測定処理を行うべきか分からないため、適切に測定処理を行うことができないという問題点があった。
【０００８】
そこで、本発明は、上述の課題に鑑みてなされたものであり、「Ａｄｄｉｔｉｏｎａｌ  Ｃａｒｒｉｅｒ」が適用されている場合であっても、適切に測定処理を行うことができる移動通信方法、無線基地局及び移動局を提供することを目的とする。
【課題を解決するための手段】
【０００９】
本発明の第１の特徴は、移動通信方法であって、移動局が、各セルにおいて、セル特有の参照信号或いは該セル特有の参照信号以外の信号のいずれかを用いて測定処理を行う移動通信方法であって、無線基地局が、前記移動局に対して、配下のセルの周辺セルのうち前記セル特有の参照信号以外の信号を用いて測定処理を行うべきセルの識別情報、及び、該セル特有の参照信号以外の信号を特定するための情報を送信する工程と、前記移動局が、前記セルの識別情報及び前記セル特有の参照信号以外の信号を特定するための情報に基づいて測定処理を行う工程とを有することを要旨とする。
【００１０】
本発明の第２の特徴は、移動局が、各セルにおいて、セル特有の参照信号或いは該セル特有の参照信号以外の信号のいずれかを用いて測定処理を行うことができるように構成されている移動通信システムで用いられる無線基地局であって、前記移動局に対して、配下のセルの周辺セルのうち前記セル特有の参照信号以外の信号を用いて測定処理を行うべきセルの識別情報、及び、該セル特有の参照信号以外の信号を特定するための情報を送信するように構成されている送信部を具備することを要旨とする。
【００１１】
本発明の第３の特徴は、各セルにおいて、セル特有の参照信号或いは該セル特有の参照信号以外の信号のいずれかを用いて測定処理を行うことができるように構成されている移動局であって、無線基地局から、配下のセルの周辺セルのうち前記セル特有の参照信号以外の信号を用いて測定処理を行うべきセルの識別情報、及び、該セル特有の参照信号以外の信号を特定するための情報を取得するように構成されている受信部と、前記セルの識別情報及び前記セル特有の参照信号以外の信号を特定するための情報に基づいて測定処理を行うように構成されている測定部とを具備することを要旨とする。
【発明の効果】
【００１２】
以上説明したように、本発明によれば、「Ａｄｄｉｔｉｏｎａｌ  Ｃａｒｒｉｅｒ」が適用されている場合であっても、適切に測定処理を行うことができる移動通信方法、無線基地局及び移動局を提供することができる。
【図面の簡単な説明】
【００１３】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＭｅａｓＯｂｊｅｃｔＥＵＴＲＡ」のフォーマットの一例を示す図である。
【図４】本発明の第１の実施形態に係る移動通信システムにおける「Ａｄｄｉｔｉｏｎａｌ  Ｃａｒｒｉｅｒ」において測定処理に用いられる信号の一例を示す図である。
【図５】本発明の第１の実施形態に係る移動通信システムにおける「Ａｄｄｉｔｉｏｎａｌ  Ｃａｒｒｉｅｒ」において測定処理に用いられる信号の一例を示す図である。
【図６】本発明の第１の実施形態に係る移動局の機能ブロック図である。
【図７】本発明の変更例１に係る移動通信システムについて説明するための図である。
【図８】本発明の変更例１に係る無線基地局によって送信される「ＭｅａｓＯｂｊｅｃｔＥＵＴＲＡ」のフォーマットの一例を示す図である。
【図９】本発明の変更例２に係る無線基地局によって送信される「ＭｅａｓＯｂｊｅｃｔＥＵＴＲＡ」のフォーマットの一例を示す図である。
【図１０】本発明の変更例３に係る無線基地局によって送信される「ＭｅａｓＯｂｊｅｃｔＥＵＴＲＡ」のフォーマットの一例を示す図である。
【発明を実施するための形態】
【００１４】
（本発明の第１の実施形態に係る移動通信システム）
図１乃至図６を参照して、本発明の第１の実施形態に係る移動通信システムについて説明する。
【００１５】
本実施形態に係る移動通信システムは、ＬＴＥ-Ａｄｖａｎｃｅｄ方式をサポートするものであって、ＣＡを提供することができるように構成されている。
【００１６】
図１に示すように、本実施形態に係る移動通信システムは、セル＃１を管理する無線基地局ｅＮＢ＃１や、セル＃２を管理する無線基地局ｅＮＢ＃２や、セル＃３１を管理する無線基地局ｅＮＢ＃３１や、セル＃３２を管理する無線基地局ｅＮＢ＃３２や、セル＃３３を管理する無線基地局ｅＮＢ＃３３や、セル＃４１を管理する無線基地局ｅＮＢ＃４１や、セル＃４２を管理する無線基地局ｅＮＢ＃４２や、セル＃４３を管理する無線基地局ｅＮＢ＃４３等を具備している。
【００１７】
ここで、セル＃１は、２ＧＨｚ帯及び８００ＭＨｚ帯の「Ｌｅｇａｃｙ  Ｃａｒｒｉｅｒ」によって運用されているマクロセルであり、セル＃２は、１.５ＧＨｚ帯の「Ｌｅｇａｃｙ  Ｃａｒｒｉｅｒ」によって運用されているマクロセルであり、セル＃３１/＃３２/＃３３/＃４１/＃４２/＃４３は、１.５ＧＨｚ帯の「Ａｄｄｉｔｉｏｎａｌ  Ｃａｒｒｉｅｒ」によって運用されているピコセルである。
【００１８】
なお、本実施形態では、移動局ＵＥは、無線基地局ｅＮＢ＃１配下のセル＃１において「ＲＲＣ_Ｃｏｎｎｅｃｔｅｄ状態」であるものとして説明を行う。
【００１９】
以下、本実施形態に係る無線基地局ｅＮＢ＃１/＃２の機能について説明する。なお、基本的に、無線基地局ｅＮＢ＃１/＃２の機能は、同一であるため、代表して、無線基地局ｅＮＢ＃１の機能について説明する。
【００２０】
また、無線基地局＃３１/＃３２/＃３３/＃４１/＃４２/＃４３の機能は、無線基地局ｅＮＢ＃１/＃２の機能と同一であってもよいし、無線基地局ｅＮＢ＃１/＃２の機能と異なっていてもよい。
【００２１】
図２に示すように、本実施形態に係る無線基地局ｅＮＢ＃１は、受信部１１と、送信部１２とを具備している。
【００２２】
受信部１１は、移動局ＵＥや周辺の無線基地局＃２/＃３１/＃３２/＃３３/＃４１/＃４２/＃４３によって送信される各種信号を受信するように構成されている。
【００２３】
例えば、受信部１１は、移動局ＵＥから、「Ｍｅａｓｕｒｅｍｅｎｔ  Ｒｅｐｏｒｔ」を受信するように構成されていてもよい。
【００２４】
また、受信部１１は、周辺の無線基地局＃２/＃３１/＃３２/＃３３/＃４１/＃４２/＃４３から、「Ａｄｄｉｔｉｏｎａｌ  Ｃａｒｒｉｅｒ」が適用されているか否かについて示す情報等の設定情報を受信するように構成されていてもよい。
【００２５】
送信部１２は、移動局ＵＥや周辺の無線基地局＃２/＃３１/＃３２/＃３３/＃４１/＃４２/＃４３に対して各種信号を送信するように構成されている。
【００２６】
例えば、送信部１２は、移動局ＵＥに対して、「ＭｅａｓＯｂｊｅｃｔＥＵＴＲＡ」を含む「Ｍｅａｓｕｒｅｍｅｎｔ  Ｃｏｎｆｉｇｕｒａｔｉｏｎ」を含む「ＲＲＣ  Ｒｅｃｏｎｆｉｇｕｒａｔｉｏｎ」を送信するように構成されていてもよい。
【００２７】
また、送信部１２は、周辺セルリスト（ＮＣＬ：Ｎｅｉｇｈｂｏｕｒ  Ｃｅｌｌ  Ｌｉｓｔ）を用いて、移動局ＵＥに対して、配下のセル＃１の周辺セル＃２/＃３１/＃３２/＃３３/＃４１/＃４２/＃４３のうちＣＲＳ以外の信号を用いて測定処理を行うべきセルのＰＣＩ（Ｐｈｙｓｉｃａｌ  Ｃｅｌｌ  Ｉｄｅｎｔｉｔｙ）、及び、測定処理に用いるべきＣＲＳ以外の信号を特定するための情報（具体的には、かかる信号の構成を特定するための情報）を通知するように構成されていてもよい。
【００２８】
具体的には、図３に示すように、送信部１２は、「ＭｅａｓＯｂｊｅｃｔＥＵＴＲＡ」内の「ＣｅｌｌＴｏＡｄｄＭｏｄＬｉｓｔ-ｒ１１」内の「ｐｈｙｓＣｅｌｌＩｄ」によって、移動局ＵＥに対して、配下のセル＃１の周辺セル＃２/＃３１/＃３２/＃３３/＃４１/＃４２/＃４３のうちＣＲＳ以外の信号を用いて測定処理を行うべきセルのＰＣＩを通知するように構成されていてもよい。
【００２９】
また、図３に示すように、送信部１２は、「ＭｅａｓＯｂｊｅｃｔＥＵＴＲＡ」内の「ＣｅｌｌＴｏＡｄｄＭｏｄＬｉｓｔ-ｒ１１」内の「新規ａｄｄｉｔｉｏｎａｌ  ｃａｒｒｉｅｒ  ｍｅａｓｕｒｅｍｅｎｔ用の信号、若しくは、Ｐｏｓｉｔｉｏｎｉｎｇ用Ｒｅｆｅｒｅｎｃｅ  ｓｉｇｎａｌ」によって、移動局ＵＥに対して、測定処理に用いるべきＣＲＳ以外の信号を特定するための情報（具体的には、かかる信号の構成を特定するための情報）を通知するように構成されていてもよい。
【００３０】
ここで、測定処理に用いるべきＣＲＳ以外の信号としては、ＰＲＳが用いられてもよいし、図４に示す第１信号が用いられてもよいし、図５に示す第２信号が用いられてもよい。
【００３１】
例えば、図４に示すように、第１信号は、ＰＲＳを参照にして生成された６個の直交系列と、各直交系列のシンボルごとにサブキャリアをランダムにシフトすることによって生成されたＮ個の非直交系列とからなる。
【００３２】
なお、図４に示すように、かかる非直交系列間においても、できるだけ衝突の少ないパターンが用いられることが好ましい。
【００３３】
また、図５に示すように、第２信号は、サブキャリアをシフトする代わりに周波数方向の位相回転（時間領域における巡回シフト）を用いて生成された直交系列と、各直交系列のスクランブル符号を変更することによって生成された非直交系列とからなる。
【００３４】
上述のＰＲＳや第１信号や第２信号を構成する各系列には、識別情報が付与されており、送信部１２は、「ＭｅａｓＯｂｊｅｃｔＥＵＴＲＡ」内の「ＣｅｌｌＴｏＡｄｄＭｏｄＬｉｓｔ-ｒ１１」内の「新規ａｄｄｉｔｉｏｎａｌ  ｃａｒｒｉｅｒ  ｍｅａｓｕｒｅｍｅｎｔ用の信号、若しくは、Ｐｏｓｉｔｉｏｎｉｎｇ用Ｒｅｆｅｒｅｎｃｅ  ｓｉｇｎａｌ」に、かかる識別情報を設定することによって、測定処理に用いるべきＣＲＳ以外の信号を特定するための情報（具体的には、かかる信号の構成を特定するための情報）を通知するように構成されていてもよい。
【００３５】
図６に示すように、本実施形態に係る移動局ＵＥは、受信部２１と、測定部２２と、送信部２３とを具備している。
【００３６】
受信部２１は、無線基地局ｅＮＢによって送信される各種信号を受信するように構成されている。
【００３７】
例えば、受信部２１は、無線基地局ｅＮＢから、「ＭｅａｓＯｂｊｅｃｔＥＵＴＲＡ」を含む「Ｍｅａｓｕｒｅｍｅｎｔ  Ｃｏｎｆｉｇｕｒａｔｉｏｎ」を含む「ＲＲＣ  Ｒｅｃｏｎｆｉｇｕｒａｔｉｏｎ」を受信するように構成されていてもよい。
【００３８】
例えば、受信部２１は、「ＭｅａｓＯｂｊｅｃｔＥＵＴＲＡ」内の「ＣｅｌｌＴｏＡｄｄＭｏｄＬｉｓｔ-ｒ１１」内の「ｐｈｙｓＣｅｌｌＩｄ」から、セル＃１の周辺セル＃２/＃３１/＃３２/＃３３/＃４１/＃４２/＃４３のうちＣＲＳ以外の信号を用いて測定処理を行うべきセルのＰＣＩを取得するように構成されていてもよい。
【００３９】
また、受信部２１は、「ＭｅａｓＯｂｊｅｃｔＥＵＴＲＡ」内の「ＣｅｌｌＴｏＡｄｄＭｏｄＬｉｓｔ-ｒ１１」内の「新規ａｄｄｉｔｉｏｎａｌ  ｃａｒｒｉｅｒ  ｍｅａｓｕｒｅｍｅｎｔ用の信号、若しくは、Ｐｏｓｉｔｉｏｎｉｎｇ用Ｒｅｆｅｒｅｎｃｅ  ｓｉｇｎａｌ」から、測定処理に用いるべきＣＲＳ以外の信号を特定するための情報（具体的には、かかる信号の構成を特定するための情報）を取得するように構成されていてもよい。
【００４０】
測定部２２は、受信部２１によって受信された「Ｍｅａｓｕｒｅｍｅｎｔ  Ｃｏｎｆｉｇｕｒａｔｉｏｎ」に応じて、測定処理を行うように構成されている。
【００４１】
具体的には、測定部２２は、セル＃１の周辺セル＃２/＃３１/＃３２/＃３３/＃４１/＃４２/＃４３のうちＣＲＳ以外の信号を用いて測定処理を行うべきセルのＰＣＩ、及び、測定処理に用いるべきＣＲＳ以外の信号を特定するための情報（具体的には、かかる信号の構成を特定するための情報）に基づいて、上述の測定処理を行うように構成されていてもよい。
【００４２】
送信部２３は、無線基地局ｅＮＢに対して、上述の測定結果を含む「Ｍｅａｓｕｒｅｍｅｎｔ  Ｒｅｐｏｒｔ」を送信するように構成されている。
【００４３】
本実施形態に係る発明によれば、無線基地局ｅＮＢが、「ＭｅａｓＯｂｊｅｃｔＥＵＴＲＡ」内の「ＣｅｌｌＴｏＡｄｄＭｏｄＬｉｓｔ-ｒ１１」によって、移動局ＵＥに対して、セル＃１の周辺セル＃２/＃３１/＃３２/＃３３/＃４１/＃４２/＃４３のうちＣＲＳ以外の信号を用いて測定処理を行うべきセルのＰＣＩ、及び、測定処理に用いるべきＣＲＳ以外の信号を特定するための情報を通知することができるため、移動局ＵＥは、同一周波数帯（１.５ＧＨｚ帯）のセル＃２/＃３１/＃３２/＃３３において、「Ｌｅｇａｃｙ  Ｃａｒｒｉｅｒ」及び「Ａｄｄｉｔｉｏｎａｌ  Ｃａｒｒｉｅｒ」が混在している場合であっても、適切に測定処理を行うことができる。
【００４４】
（変更例１）
図７及び図８を参照して、本発明の変更例１に係る移動通信システムについて説明する。以下、本発明の変更例１に係る移動通信システムについて、上述の第１の実施形態に係る移動通信システムとの相違点に着目して説明する。
【００４５】
本変更例１に係る移動通信システムでは、測定処理に用いるべきＣＲＳ以外の信号として、Ｐ-ＳＳ（Ｐｒｉｍａｒｙ  Ｓｙｎｃｈｒｏｎｉｓａｔｉｏｎ  Ｓｉｇｎａｌ）或いはＳ-ＳＳ（Ｓｅｃｏｎｄａｒｙ  Ｓｙｎｃｈｒｏｎｉｓａｔｉｏｎ  Ｓｉｇｎａｌ）が用いられるように構成されている。
【００４６】
図７に示すように、「Ｌｅｇａｃｙ  Ｃａｒｒｉｅｒ」では、Ｐ-ＳＳ及びＳ-ＳＳは、サブフレーム＃０及び＃５にマッピングされるように構成されている。
【００４７】
これに対して、「Ａｄｄｉｔｉｏｎａｌ  Ｃａｒｒｉｅｒ」では、ＰＣＩ毎に、Ｐ-ＳＳ及びＳ-ＳＳをマッピングするサブフレームを変更することができるように構成されている。
【００４８】
例えば、ＰＣＩ＃１によって特定されるセルにおいて、Ｐ-ＳＳ及びＳ-ＳＳは、サブフレーム＃１及び＃４にマッピングされ、ＰＣＩ＃２によって特定されるセルにおいて、Ｐ-ＳＳ及びＳ-ＳＳは、サブフレーム＃２にマッピングされるように構成されていてもよい。
【００４９】
そして、無線基地局ｅＮＢの送信部１２は、移動局ＵＥに対して、ＰＣＩ毎に、Ｐ-ＳＳ及びＳ-ＳＳをマッピングするサブフレームを通知するように構成されている。
【００５０】
例えば、無線基地局ｅＮＢの送信部１２は、図８に示すように、「ＭｅａｓＯｂｊｅｃｔＥＵＴＲＡ」内の「ＣｅｌｌＴｏＡｄｄＭｏｄＬｉｓｔ-ｒ１１」内の「ｐｈｙｓＣｅｌｌＩｄ」によって、移動局ＵＥに対して、ＣＲＳ以外の信号（例えば、Ｐ-ＳＳ或いはＳ-ＳＳ）を用いて測定処理を行うべきセルのＰＣＩを通知するように構成されていてもよい。
【００５１】
また、図８に示すように、無線基地局ｅＮＢの送信部１２は、「ＭｅａｓＯｂｊｅｃｔＥＵＴＲＡ」内の「ＣｅｌｌＴｏＡｄｄＭｏｄＬｉｓｔ-ｒ１１」内の「ｓｙｎｃｒｏｎｉｓａｔｉｏｎＳｉｇｎａｌＩｎｆｏ」によって、移動局ＵＥに対して、かかるＰＣＩによって特定されるセルにおいて測定処理に用いるべきＣＲＳ以外の信号を特定するための情報（具体的には、Ｐ-ＳＳ及びＳ-ＳＳをマッピングするサブフレームを示す情報）を通知するように構成されていてもよい。
【００５２】
ここで、「ｓｙｎｃｒｏｎｉｓａｔｉｏｎＳｉｇｎａｌＩｎｆｏ」に設定される値（０〜６３）が示すサブフレームについては、別途規定されるものとする。
【００５３】
例えば、「ｓｙｎｃｒｏｎｉｓａｔｉｏｎＳｉｇｎａｌＩｎｆｏ」に「０」が設定されている場合、Ｐ-ＳＳ及びＳ-ＳＳが、サブフレーム＃１にマッピングされていることを示し、「ｓｙｎｃｒｏｎｉｓａｔｉｏｎＳｉｇｎａｌＩｎｆｏ」に「１」が設定されている場合、Ｐ-ＳＳ及びＳ-ＳＳが、サブフレーム＃１及び＃６にマッピングされていることを示してもよい。
【００５４】
また、無線基地局ｅＮＢの送信部１２は、周辺セルリストを用いて、移動局ＵＥに対して、ＣＲＳ以外の信号を用いて測定処理を行うべきセルのＰＣＩ、及び、測定処理に用いるべきＣＲＳ以外の信号を特定するための情報（具体的には、Ｐ-ＳＳ及びＳ-ＳＳをマッピングするサブフレームを示す情報）を通知するように構成されていてもよい。
【００５５】
また、移動局ＵＥの測定部２２は、無線基地局ｅＮＢによって通知されたＰＣＩ及びＰ-ＳＳ及びＳ-ＳＳをマッピングするサブフレームを示す情報に基づいて、上述の測定処理を行うように構成されている。
【００５６】
（変更例２）
図９を参照して、本発明の変更例２に係る移動通信システムについて説明する。以下、本発明の変更例２に係る移動通信システムについて、上述の第１の実施形態及び変更例１に係る移動通信システムとの相違点に着目して説明する。
【００５７】
本変更例２に係る移動通信システムでは、複数の種類の「Ａｄｄｉｔｉｏｎａｌ  Ｃａｒｒｉｅｒ」を設定することができるように構成されている。
【００５８】
ここで、本変更例２に係る移動通信システムでは、複数の種類の「Ａｄｄｉｔｉｏｎａｌ  Ｃａｒｒｉｅｒ」が設定された場合、「Ａｄｄｉｔｉｏｎａｌ  Ｃａｒｒｉｅｒ」の種類毎に、測定処理に用いるべきＣＲＳ以外の信号としてのＰ-ＳＳ及びＳ-ＳＳをマッピングするサブフレームを決定することができるように構成されている。
【００５９】
無線基地局ｅＮＢの送信部１２は、移動局ＵＥに対して、ＰＣＩ毎に、「Ａｄｄｉｔｉｏｎａｌ  Ｃａｒｒｉｅｒ」の種別を通知するように構成されている。
【００６０】
例えば、無線基地局ｅＮＢの送信部１２は、図９に示すように、「ＭｅａｓＯｂｊｅｃｔＥＵＴＲＡ」内の「ＣｅｌｌＴｏＡｄｄＭｏｄＬｉｓｔ-ｒ１１」内の「ｐｈｙｓＣｅｌｌＩｄ」によって、移動局ＵＥに対して、ＣＲＳ以外の信号（例えば、Ｐ-ＳＳ或いはＳ-ＳＳ）を用いて測定処理を行うべきセルのＰＣＩを通知するように構成されていてもよい。
【００６１】
また、図９に示すように、無線基地局ｅＮＢの送信部１２は、「ＭｅａｓＯｂｊｅｃｔＥＵＴＲＡ」内の「ＣｅｌｌＴｏＡｄｄＭｏｄＬｉｓｔ-ｒ１１」内の「ａｄｄｉｔｉｏｎａｌＣａｒｒｉｅｒＴｙｐｅ」によって、移動局ＵＥに対して、かかるＰＣＩによって特定されるセルおいて設定されている「Ａｄｄｉｔｉｏｎａｌ  Ｃａｒｒｉｅｒ」の種別（ｔｙｐｅ０〜７）を通知するように構成されていてもよい。
【００６２】
なお、無線基地局ｅＮＢの送信部１２は、周辺セルリストを用いて、移動局ＵＥに対して、ＣＲＳ以外の信号を用いて測定処理を行うべきセルのＰＣＩ、及び、測定処理に用いるべきＣＲＳ以外の信号を特定するための情報（具体的には、「Ａｄｄｉｔｉｏｎａｌ  Ｃａｒｒｉｅｒ」の種別）を通知するように構成されていてもよい。
【００６３】
移動局ＵＥの測定部２２は、かかるＰＣＩ及び「Ａｄｄｉｔｉｏｎａｌ  Ｃａｒｒｉｅｒ」の種別（ｔｙｐｅ０〜７）に基づいて、各ＰＣＩにおいて、Ｐ-ＳＳ及びＳ-ＳＳがマッピングされているサブフレームを特定し、かかるＰ-ＳＳ或いはＳ-ＳＳの少なくとも一方を用いて、上述の測定処理を行うように構成されている。
【００６４】
（変更例３）
図１０を参照して、本発明の変更例３に係る移動通信システムについて説明する。以下、本発明の変更例３に係る移動通信システムについて、上述の第１の実施形態、変更例１及び２に係る移動通信システムとの相違点に着目して説明する。
【００６５】
本変更例３に係る移動通信システムでは、上述の測定処理において、ＣＲＳが用いられるように構成されている。
【００６６】
無線基地局ｅＮＢの送信部１２は、移動局ＵＥに対して、ＰＣＩ毎に、「Ａｄｄｉｔｉｏｎａｌ  Ｃａｒｒｉｅｒ」におけるＣＲＳが存在する帯域幅、及び、かかるＣＲＳのリソースブロック（ＲＢ：Ｒｅｓｏｕｒｃｅ  Ｂｌｏｃｋ）単位の周波数方向のシフト量を通知するように構成されている。
【００６７】
なお、「Ｌｅｇａｃｙ  Ｃａｒｒｉｅｒ」では、各リソースブロック内で、ＣＲＳは、所定のサブキャリア（例えば、サブキャリア＃３及び＃１０等）にマッピングされるように構成されている。
【００６８】
ここで、上述のＣＲＳのリソースブロック単位の周波数方向のシフト量は、かかる「Ｌｅｇａｃｙ  Ｃａｒｒｉｅｒ」でＣＲＳがマッピングされているサブキャリアからのシフト量を示す。
【００６９】
例えば、無線基地局ｅＮＢの送信部１２は、図１０に示すように、「ＭｅａｓＯｂｊｅｃｔＥＵＴＲＡ」内の「ＣｅｌｌＴｏＡｄｄＭｏｄＬｉｓｔ-ｒ１１」内の「ｐｈｙｓＣｅｌｌＩｄ」によって、移動局ＵＥに対して、ＣＲＳを用いて測定処理を行うべきセルのＰＣＩを通知するように構成されていてもよい。
【００７０】
また、図１０に示すように、無線基地局ｅＮＢの送信部１２は、「ＭｅａｓＯｂｊｅｃｔＥＵＴＲＡ」内の「ＣｅｌｌＴｏＡｄｄＭｏｄＬｉｓｔ-ｒ１１」内の「ｒｅｆｅｒｅｎｃｅＳｉｇｎａｌＢ ａｎｄｗｉｄｔｈ」によって、移動局ＵＥに対して、かかるＰＣＩによって特定されるセルにおいて設定されている「Ａｄｄｉｔｉｏｎａｌ  Ｃａｒｒｉｅｒ」内でＣＲＳが存在する帯域幅を通知するように構成されていてもよい。
【００７１】
さらに、図１０に示すように、無線基地局ｅＮＢの送信部１２は、「ＭｅａｓＯｂｊｅｃｔＥＵＴＲＡ」内の「ＣｅｌｌＴｏＡｄｄＭｏｄＬｉｓｔ-ｒ１１」内の「ｒｅｆｅｒｅｎｃｅＳｉｇｎａｌＳｈｉｆｔ」によって、移動局ＵＥに対して、かかるＰＣＩによって特定されるセルにおいて設定されている「Ａｄｄｉｔｉｏｎａｌ  Ｃａｒｒｉｅｒ」内でのＣＲＳのリソースブロック単位の周波数方向のシフト量を通知するように構成されていてもよい。
【００７２】
なお、無線基地局ｅＮＢの送信部１２は、周辺セルリストを用いて、移動局ＵＥに対して、ＣＲＳを用いて測定処理を行うべきセルのＰＣＩ、上述の帯域幅及びシフト量を通知するように構成されていてもよい。
【００７３】
移動局ＵＥの測定部２２は、かかるＰＣＩ、上述の帯域幅及びシフト量に基づいて、上述の測定処理を行うように構成されている。
【００７４】
以上に述べた本実施形態の特徴は、以下のように表現されていてもよい。
【００７５】
本実施形態の第１の特徴は、移動局ＵＥが、各セル＃１/＃２/＃３１/＃３２/＃３３/＃４１/＃４２/＃４３において、ＣＲＳ（セル特有の参照信号）或いはＣＲＳ以外の信号のいずれかを用いて測定処理を行う移動通信方法であって、無線基地局ｅＮＢ＃１が、移動局ＵＥに対して、配下のセル＃１の周辺セル＃２/＃３１/＃３２/＃３３/＃４１/＃４２/＃４３のうちＣＲＳ以外の信号を用いて測定処理を行うべきセルのＰＣＩ（識別情報）、及び、ＣＲＳ以外の信号を特定するための情報を送信する工程と、移動局ＵＥが、ＰＣＩ及びＣＲＳ以外の信号を特定するための情報に基づいて測定処理を行う工程とを有することを要旨とする。
【００７６】
本実施形態の第２の特徴は、移動局ＵＥが、各セル＃１/＃２/＃３１/＃３２/＃３３/＃４１/＃４２/＃４３において、ＣＲＳ或いはＣＲＳ以外の信号のいずれかを用いて測定処理を行うことができるように構成されている移動通信システムで用いられる無線基地局ｅＮＢ＃１であって、移動局ＵＥに対して、配下のセル＃１の周辺セル＃２/＃３１/＃３２/＃３３/＃４１/＃４２/＃４３のうちＣＲＳ以外の信号を用いて測定処理を行うべきセルのＰＣＩ、及び、ＣＲＳ以外の信号を特定するための情報を送信するように構成されている送信部１２を具備することを要旨とする。
【００７７】
本実施形態の第３の特徴は、各セル＃１/＃２/＃３１/＃３２/＃３３/＃４１/＃４２/＃４３において、ＣＲＳ或いはＣＲＳ以外の信号のいずれかを用いて測定処理を行うことができるように構成されている移動局ＵＥであって、無線基地局ｅＮＢから、配下のセル＃１の周辺セル＃２/＃３１/＃３２/＃３３/＃４１/＃４２/＃４３のうちＣＲＳ以外の信号を用いて測定処理を行うべきセルのＰＣＩ識別情報、及び、ＣＲＳ以外の信号を特定するための情報を取得するように構成されている受信部２１と、ＰＣＩ及びＣＲＳ以外の信号を特定するための情報に基づいて測定処理を行うように構成されている測定部２２とを具備することを要旨とする。
【００７８】
本実施形態の第１乃至第３の特徴において、ＣＲＳ以外の信号は、ＰＲＳ（測位用の参照信号）であってもよい。
【００７９】
また、本実施形態の第１乃至第３の特徴において、ＣＲＳ以外の信号は、Ｐ-ＳＳ或いはＳ-ＳＳの少なくとも一方（同期信号）であってもよい。
【００８０】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８４】
ＵＥ…移動局
ｅＮＢ…無線基地局
１１、２１…受信部
１２、２３…送信部
２２…測定部
【図１】
0005947638.tif 000002
【図２】
0005947638.tif 000003
【図３】
0005947638.tif 000004
【図４】
0005947638.tif 000005
【図５】
0005947638.tif 000006
【図６】
0005947638.tif 000007
【図７】
0005947638.tif 000008
【図８】
0005947638.tif 000009
【図９】
0005947638.tif 000010
【図１０】
0005947638.tif 000011